(57)【要約】【課題】本発明は、光の光質に対する撮影者の好みに柔軟に対応することができるバウンスストロボシステムを得る。【解決手段】本発明のバウンスストロボシステムは、カメラＣに着脱可能なストロボ装置１であって、光を発する発光部１０の向きを制御する制御部１１を有するストロボ装置１と、ストロボ装置１の制御部１１と通信可能な制御情報取得装置２とを備え、制御情報取得装置２は、撮影領域の画像に対して反射体の位置を設定できるようにし、ストロボ装置１の制御部１１は、制御情報取得装置２から撮影領域内の所定位置までの実際の距離と、制御情報取得装置２から設定部２２で設定された反射体Ｒまでの実際の距離とを基に発光部１０の向きを調整する構成を有している。【選択図】図２
2014202929.tif 000002
【特許請求の範囲】
【請求項１】
カメラに着脱可能なストロボ装置であって、光を発する発光部及び該発光部の向きを制御する制御部を有するストロボ装置と、ストロボ装置の制御部と通信可能な制御情報取得装置とを備え、制御情報取得装置は、撮影領域の画像を取得する画像取得部と、制御情報取得装置から撮影領域内の所定位置までの距離を測定する第一の測定部と、画像取得部で取得した画像からストロボ装置の発光部の光を反射可能な少なくとも二つ以上の反射体の位置を設定する設定部と、第一の測定部で測定した距離を基に制御情報取得装置から設定部で設定された反射体の位置までの実際の距離を測定する第二の測定部と、第一の測定部で測定した距離及び第二の測定部で測定した距離のそれぞれをストロボ装置の制御部に送信する送信部とを有し、ストロボ装置の制御部は、送信部から受信した距離の情報を基に発光部の向きを調整することを特徴とするバウンスストロボシステム。
【請求項２】
制御部は、設定部に設定された反射体の色情報を取得する色情報取得部と、該色情報取得部で取得した反射体の色情報を基に撮影した画像の色を補正する色補正部とを有する請求項１に記載のバウンスストロボシステム。
【請求項３】
制御情報取得装置は、ストロボ装置及びカメラとは別体で構成される請求項１又は請求項２に記載のバウンスストロボシステム。
【請求項４】
制御情報取得装置は、スマートフォンで構成される請求項１乃至請求項３に記載のバウンスストロボシステム。
【発明の詳細な説明】
【技術分野】
【０００１】
本発明は、被写体を撮影する際に、発光部からの光を天井や壁等の反射体に反射させて被写体に照射するバウンスストロボシステムに関する。
【背景技術】
【０００２】
従来から、カメラで撮影を行う際に、被写体や、被写体の近傍の領域に光を照射するストロボ装置が種々提供されており、その一つとして、被写体に自然光のような光を照射することのできるバウンスストロボ装置がある。
【０００３】
バウンスストロボ装置は、天井や、壁等の反射体に光を照射し、該反射体によって反射させた光を被写体に照射するようになっている。より具体的に説明すると、バウンスストロボ装置は、光を発生させる発光部と、発光部の向きを制御する制御部とを備えている。そして、制御部は、カメラから被写体までの第一の距離と、カメラから発光部の光を反射させる対象とする反射体までの第二の距離とを測定し、各距離に基づいて発光部の向きを調整するようになっている。
【先行技術文献】
【特許文献】
【０００４】
【特許文献１】特開平１−３０４４３９号公報
【発明の概要】
【発明が解決しようとする課題】
【０００５】
ところで、被写体に照射する光に求められる光質（光量や、光の色等）は、撮影者の好みによって異なるが、上述のストロボ装置では、第二の距離として、カメラと特定の反射体との距離のみを測定するようになっている。そのため、上述のバウンスストロボ装置では、光を天井に反射させる場合は、カメラと天井との距離を第二の距離とし、光を壁に反射させる場合は、カメラと壁との距離を第二の距離としているため、撮影者の好みに応じた光質の光を被写体に照射することが困難であった。
【０００６】
そこで、本発明は、光の光質に対する撮影者の好みに柔軟に対応することができるバウンスストロボシステムを提供することを課題とする。
【課題を解決するための手段】
【０００７】
本発明のバウンスストロボシステムは、カメラに着脱可能なストロボ装置であって、光を発する発光部及び該発光部の向きを制御する制御部を有するストロボ装置と、ストロボ装置の制御部と通信可能な制御情報取得装置とを備え、制御情報取得装置は、撮影領域の画像を取得する画像取得部と、制御情報取得装置から撮影領域内の所定位置までの距離を測定する第一の測定部と、画像取得部で取得した画像からストロボ装置の発光部の光を反射可能な少なくとも二つ以上の反射体の位置を設定する設定部と、第一の測定部で測定した距離を基に制御情報取得装置から設定部で設定された反射体の位置までの実際の距離を測定する第二の測定部と、第一の測定部で測定した距離及び第二の測定部で測定した距離のそれぞれをストロボ装置の制御部に送信する送信部とを有し、ストロボ装置の制御部は、送信部から受信した距離の情報を基に発光部の向きを調整することを特徴とする。
【０００８】
かかる構成によれば、第一の測定部によって測定された距離を基にして、第二の測定部が制御情報取得装置から設定部によって画像に対して設定された反射体の位置までの実際の距離を測定する。このとき、設定部によって画像に対して反射体の位置が少なくとも二つ以上設定されると、第二の測定部は、制御情報取得装置から設定部によって画像に設定された各反射体の位置までの実際の距離を測定する。
【０００９】
そして、送信部が第一の測定部で測定した距離及び第二の測定部で測定した各距離の情報をストロボ装置の制御部に送信し、ストロボ装置の制御部が送信部から受信した距離の情報を基に発光部の向きを調整する。従って、制御情報取得装置から撮影領域内の所定位置までの実際の距離、及び制御情報取得装置から設定部で設定された各反射体の位置までの実際の距離を基に発光部の向きを調整することができる。
【００１０】
また、請求項２記載の発明において、制御部は、設定部で設定された反射体の色情報を取得する色情報取得部と、該色情報取得部で取得した反射体の色情報を基に撮影した画像の色を補正する色補正部とを有するようにしてもよい。このようにすれば、設定部に設定された反射体の色情報を基に、撮影した画像の色を補正することができる。
【００１１】
また、請求項３記載の発明において、制御情報取得装置は、ストロボ装置及びカメラとは別体で構成されるようにしてもよい。このようにすれば、ストロボ装置及びカメラに設けることなく、発光部の向きを調整するための情報を得ることができるようになる。従って、ストロボ装置及びカメラの大型化を抑えつつ発光部の向きを調整するための情報を得ることができるようになる。
【００１２】
また、請求項４記載の発明において、制御情報取得装置は、スマートフォンで構成されるようにしてもよい。このようにすれば、スマートフォンで撮影した画像を用いて反射体までの実際の距離を測定し、発光部の向きを調整することができる。
【発明の効果】
【００１３】
以上のように、本発明によれば、撮影者が所望する光質の光を容易に被写体に照射することができるという優れた効果を奏する。
【図面の簡単な説明】
【００１４】
【図１】本発明の一実施形態のバウンスストロボシステムの全体概要図
【図２】同実施形態のバウンスストロボシステムのストロボ装置の説明図
【図３】同実施形態のバウンスストロボシステムの制御情報取得装置のブロック図
【図４】同実施形態のバウンスストロボシステムの説明図であって、制御情報取得装置から撮影領域内の所定位置までの距離の測定の仕方の説明図
【図５】同実施形態のバウンスストロボシステムの動作説明図
【図６】同実施形態のバウンスストロボシステムの動作説明図であって、撮影領域の画像を制御情報取得装置に表示している状態の動作説明図
【発明を実施するための形態】
【００１５】
本発明の一実施形態のバウンスストロボシステムについて、添付図面を参照しつつ、説明を行う。バウンスストロボシステムは、図１に示すように、カメラＣに着脱可能なストロボ装置１であって、光を発する発光部１０の向きを制御する制御部１１を有するストロボ装置１と、ストロボ装置１の制御部１１と通信可能（本実施形態では、無線による通信）な制御情報取得装置２とを備えている。なお、本実施形態における制御情報取得装置２としては、ストロボ装置１及びカメラＣとは別体の外部端末（例えば、タブレット端末や、スマートフォン等）が採用されている。
【００１６】
ストロボ装置１は、発光部１０をカメラＣに取り付けるためのジョイント部１２をさらに備えている。図２Ａ及び図２Ｂに示すように、ジョイント部１２は、当該ジョイント部１２とカメラＣとが並ぶ方向である第一方向（図１における上下方向）に延びる軸線を中心として回転可能になっている。発光部１０は、ジョイント部１２に設けられている。また、発光部１０は、第一方向と直交する方向である第二方向に延びる軸線を中心として回動可能になっている。これにより、ストロボ装置１は、発光部１０の向き（すなわち、水平方向における光の照射方向と、鉛直方向における光の照射方向）を変えることができるようになっている。
【００１７】
制御部１１は、制御情報取得装置２から受信した情報を基に発光部１０の向きを調整するようになっている。
【００１８】
ここで、制御部１１による発光部１０の向きの調整について説明する。ストロボ装置１と反射体Ｒとの直線距離が最短となる第一直線の反射体Ｒ上の点を第一点とし、ストロボ装置１と被写体との直線距離が最短となる第二直線の被写体上の点を第二点とし、第一点と第二点とを結んだ直線を第三直線とする。
【００１９】
そして、第三直線と第二直線とのなす角を第一角（β）、反射体Ｒに反射されて被写体に入射する発光部１０からの入射光と第二直線とのなす入射角度を角度γ、第一直線上におけるストロボ装置１から反射体Ｒまでの距離をｈ、第二直線上におけるストロボ装置１と被写体までの距離をＩ、反射体Ｒ上における発光部１０からの光を反射する点である第三点からの垂直線と被写体上の第二点を通る水平線が交差する点を第四点、第二点から第四点までの線分上のストロボ装置１から第四点までの距離をｂ、第三点とストロボ装置１とを結んだ線分と第四点とストロボ装置１とを結んだ線分とがなす角度を回動（バウンス）角度αとする。
【００２０】
このとき、Ｉ、ｂ、γ、ｈの関係は数式１として表せ、α、ｈ、ｂの関係は数式２として表せる。従って、数式１と２からｂを消去すると、数式３のように、回動（バウンス）角度αが算出される。
【００２１】
数式３において、ｈ、Ｉはストロボ装置１の制御情報取得装置２によって測定される値であり、γはβよりも小さい所定の角度範囲で設定される値であり、Ｈはｈにストロボ装置１の既知の高さを加算した値から、被写体の既知の高さを減算することによって、算出される値である。
（数１）
ｔａｎγ=ｈ／（Ｉ+ｂ） （１）
（数２）
ｔａｎα=ｈ／ｂ （２）
（数３）
α=ａｒｃｔａｎ（ｈ・ｔａｎγ／（Ｈ−Ｉ・ｔａｎγ）） （３）
図３に示すように、制御情報取得装置２は、撮影領域の画像を取得する画像取得部２０と、制御情報取得装置２から撮影領域内の所定位置までの実際の距離（以下、第一の距離とする）を測定する第一の測定部２１と、画像取得部２０で撮影した画像からストロボ装置１の発光部１０の光を反射可能な反射体（図６に示すような、天井や、壁等）Ｒの位置を設定する設定部２２と、第一の測定部２１で測定した距離を基に制御情報取得装置２から設定部２２で設定された反射体Ｒまでの実際の距離（以下、第二の距離とする）を測定する第二の測定部２３と、第一の距離及び第二の距離のそれぞれをストロボ装置１の制御部１１に送信する送信部２４とを有する。
【００２２】
また、制御情報取得装置２は、設定部２２で設定された反射体Ｒの色情報を取得する色情報取得部２５と、該色情報取得部２５で取得した反射体Ｒの色情報を基に撮影した画像の色を補正する色補正部２６とを有する。
【００２３】
画像取得部２０は、例えば、制御情報取得装置２に内蔵されている撮像素子等で構成することができる。
【００２４】
図４に示すように、第一の測定部２１は、画像取得部２０が画像を取得した時点における制御情報取得装置２の傾斜角度θを取得する傾斜情報取得部２１０と、該傾斜情報取得部２１０で取得した傾斜情報及び画像取得部２０が画像を取得した時点における制御情報取得装置２の地面からの高さＨを基に第一の距離Ｌを測定する基準距離測定部２１１とを有する。
【００２５】
傾斜情報取得部２１０は、例えば、加速度センサーや、ジャイロセンサー等で構成することができる。そして、傾斜情報取得部２１０は、水平方向に対する制御情報取得装置２の傾きを傾斜角度θとして取得するようになっている。
【００２６】
基準距離測定部２１１で用いる高さＨは、予め設定されている固定値としたり、画像取得部２０で画像を取得するときに取得するようにしたりすることができる。なお、本実施形態における高さＨは、予め設定されている固定値となっている。そのため、基準距離測定部２１１は、傾斜角度θ及び予め設定されている高さＨを基に第一の距離Ｌを測定するようになっている。
【００２７】
図３及び図６に示すように、設定部２２は、タッチパネルによって構成されている。これにより、制御情報取得装置２では、設定部２２に画像取得部２０で取得した画像を表示できるようになっており、また、設定部２２に表示された画像における反射体Ｒの位置に対応する部分を触れることによって、反射体Ｒの位置を設定できるようになっている。
【００２８】
なお、以下の説明において、画像における反射体Ｒと対応する位置として設定された部分を設定領域Ｓとする。
【００２９】
第二の測定部２３は、画像における撮影領域内の所定位置に対応する部分（以下、基準領域Ｄとする）から設定領域Ｓまでの距離（以下、仮想距離Ｌｉとする）を測定し、第一の距離Ｌと仮想距離Ｌｉとを基に制御情報取得装置２から反射体Ｒまでの実際の距離を測定するようになっている。なお、図５では、基準領域Ｄと一つの設定領域Ｓとの仮想距離Ｌｉしか図示していないが、複数の設定領域Ｓ，Ｓ…が設定されている場合は、基準領域Ｄと各設定領域Ｓとの仮想距離Ｌｉを測定するようになっている。
【００３０】
送信部２４は、第一の距離Ｌと、第二の測定部２３で測定した距離とを無線通信によってストロボ装置１の制御部１１に送信するようになっている。そのため、バウンスストロボシステムでは、制御情報取得装置２から送信される情報を基に制御部１１が発光部１０の向きを調整するようになっている。
【００３１】
色情報取得部２５は、設定領域Ｓ（設定部２２によって画像に設定された反射体Ｒの位置）の色情報を取得するようになっている。すなわち、色情報取得部２５は、反射体Ｒの色情報を取得することができる。
【００３２】
本実施形態のバウンスストロボシステムは、以上の通りである。続いて、バウンスストロボシステムにおけるストロボ装置１の発光部１０の向きを調整する動作について説明を行うこととする。
【００３３】
ストロボ装置１の発光部１０の向きを調整するには、まず、図５に示すように、ストロボ装置１及びカメラＣの近傍に制御情報取得装置２を配置する。そして、画像取得部２０で撮影領域の画像を取得する。そして、あらかじめ設定されている高さＨと、傾斜情報取得部２１０で取得した傾斜情報とによって、第一の距離Ｌを測定する。
【００３４】
そして、図６に示すように、設定部２２によって、複数の反射体Ｒのそれぞれの位置を画像取得部２０で取得した画像に設定する。このようにすると、第二の測定部２３が基準領域Ｄから設定領域Ｓまでの仮想距離Ｌｉを測定し、さらに、第一の距離Ｌ及び仮想距離Ｌｉを基に第二の距離を測定する。本実施形態では、設定部２２によって複数の反射体Ｒを設定しているため、制御情報取得装置２から各反射体Ｒまでの第二の距離を測定する。
【００３５】
そして、送信部２４が第一の測定部２１で測定した距離及び第二の測定部２３で測定した距離のそれぞれをストロボ装置１の制御部１１に送信し、ストロボ装置１の制御部１１が送信部２４から受信した距離を基に発光部１０の向き（水平方向における光の照射方向と、鉛直方向における光の照射方向）が調整される。従って、制御情報取得装置２から設定部２２によって画像に設定された複数の反射体Ｒの位置までの実際の距離を基に被写体に照射する光の光質を調整することができる。
【００３６】
以上のように、本実施形態に係るバウンスストロボシステムでは、第一の測定部２１によって測定された距離を基にして、第二の測定部２３が制御情報取得装置２から設定部２２によって画像に対して設定された反射体Ｒの位置までの実際の距離を測定する。このとき、設定部２２によって画像に対して反射体Ｒの位置が複数設定されると、第二の測定部２３は、制御情報取得装置２から設定部２２によって画像に設定された各反射体Ｒ，Ｒ…の位置までの実際の距離を測定する。
【００３７】
そして、送信部２４が第一の測定部２１で測定した距離（第一の距離Ｌ）及び第二の測定部２３で測定した各距離の情報をストロボ装置１の制御部１１に送信し、ストロボ装置１の制御部１１が送信部２４から受信した距離の情報を基に発光部１０の向きを調整する。従って、制御情報取得装置２から撮影領域内の所定位置までの実際の距離、及び制御情報取得装置２から設定部２２によって画像に設定された複数の反射体Ｒ，Ｒ…までの実際の距離を基に発光部１０の向きを調整することができる。
【００３８】
従って、撮影者が所望する光質の光を容易に被写体に照射することができるという優れた効果を奏する。
【００３９】
また、制御部１１は、画像における設定部２２で設定された領域の色情報を取得する色情報取得部２５と、該色情報取得部２５で取得した反射体Ｒの色情報を基にしてカメラＣで撮影した画像の色を補正する色補正部２６とを有するため、設定部に設定された反射体の色情報を基に、撮影した画像の色を補正することができる。
【００４０】
そして、制御情報取得装置２は、ストロボ装置１及びカメラＣとは別体で構成されているため、第一の距離Ｌや、第二の距離、色等の情報を取得するための構成をストロボ装置１及びカメラＣに設けることなく、発光部１０の向きを調整できる。従って、ストロボ装置１及びカメラＣの大型化を抑えつつ発光部１０の向きを調整するための情報を得ることができる。
【００４１】
尚、本発明のストロボシステムは、上記実施形態に限定されるものではなく、本発明の要旨を逸脱しない範囲において種々変更を行うことは勿論である。
【００４２】
上記実施形態において、制御情報取得装置２は、ストロボ装置１及びカメラＣとは別体で構成されていたが、これに限定されるものではなく、例えば、制御情報取得装置２は、カメラＣに設けられていてもよい。このようにする場合、カメラＣで撮影した画像に対して反射体Ｒの位置を設定できるようになっていればよい。
【００４３】
また、上記実施形態において、制御情報取得装置２では、高さＨが予め設定される固定値となっていたが、これに限定されるものではなく、例えば、画像取得部２０で撮影領域を撮影した画像を取得する際に、地面からの高さを検出するようにしてもよい。
【００４４】
また、上記実施形態において、設定部２２は、タッチパネルによって構成されていたが、設定部２２は、画像取得部２０で取得した画像における反射体Ｒの位置に対応する部分を設定できるようになっていれば、タッチパネルに限定されるものではない。
【００４５】
また、上記実施形態において、特に言及しなかったが、送信部２４は、ストロボ装置１の制御部１１に反射体６の色情報も送信するようにしてもよい。このようにすれば、制御部１１が第一の距離Ｌと第二の距離と反射体Ｒの色とを基に発光部１０の向きを調整することができ、より柔軟に撮影者の光質の好みに対応することができるようになる。
【産業上の利用可能性】
【００４６】
本発明のバウンスストロボシステムは、カメラに着脱可能なストロボ装置であって、光を発する発光部及び該発光部の向きを制御する制御部を有するストロボ装置と、ストロボ装置の制御部と通信可能な制御情報取得装置とを備え、制御情報取得装置は、撮影領域の画像を取得する画像取得部と、制御情報取得装置から撮影領域内の所定位置までの距離を測定する第一の測定部と、画像取得部で取得した画像からストロボ装置の発光部の光を反射可能な少なくとも二つ以上の反射体の位置を設定する設定部と、第一の測定部で測定した距離を基に制御情報取得装置から設定部で設定された反射体の位置までの実際の距離を測定する第二の測定部と、第一の測定部で測定した距離及び第二の測定部で測定した距離のそれぞれをストロボ装置の制御部に送信する送信部とを有し、ストロボ装置の制御部は、送信部から受信した距離の情報を基に発光部の向きを調整する構成とすることにより、撮影者が所望する光質の光を容易に被写体に照射することが必要な用途に適用できる。
【符号の説明】
【００４７】
１     ストロボ装置
２     制御情報取得装置
１０   発光部
１１   制御部
２０   画像取得部
２１   第一の測定部
２２   設定部
２３   第二の測定部
２４   送信部
２５   色情報取得部
２６   色補正部
Ｃ     カメラ
【図１】
2014202929.tif 000003
【図２】
2014202929.tif 000004
【図３】
2014202929.tif 000005
【図４】
2014202929.tif 000006
【図５】
2014202929.tif 000007
【図６】
2014202929.tif 000008